(57)【特許請求の範囲】
【請求項１】
画像が形成され、前記画像の複写の可否を決定するセキュリティレベルを含む付加情報が形成された画像形成媒体から、前記画像及び前記付加情報を読み取り、読取データを出力する読取出力手段と、
前記読取データに基づいて、前記セキュリティレベルを抽出する抽出手段と、
前記画像の複写を行うユーザに設定されたセキュリティレベルを取得する取得手段と、
前記抽出手段によって抽出されたセキュリティレベルが、前記取得手段によって取得されたセキュリティレベルより高い場合、前記読取データに基づいたイメージログ、及び前記ユーザの情報を含むログを生成し、生成された前記イメージログ及び前記ログを管理装置に出力する生成手段と、
前記抽出されたセキュリティレベルが、前記取得されたセキュリティレベル以下の場合には、前記イメージログ及び前記ログを生成することなく前記読取データに基づいた画像データを出力し、前記抽出手段によって抽出されたセキュリティレベルが、前記取得手段によって取得されたセキュリティレベルより高い場合には、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段と、
を含む画像処理装置。
【請求項２】
画像が形成され、前記画像の複写の可否を決定するセキュリティレベルを含むと共に、生成されたイメージログ及びログが記憶されたことを条件として複写を許可する許可情報を含む付加情報が形成された画像形成媒体から、前記画像及び前記付加情報を読み取り、読取データを出力する読取出力手段と、
前記読取データに基づいて、前記セキュリティレベル、及び前記許可情報を抽出する抽出手段と、
前記画像の複写を行うユーザに設定されたセキュリティレベルを取得する取得手段と、
前記抽出手段によって抽出されたセキュリティレベルが、前記取得手段によって取得されたセキュリティレベルより高く、かつ前記抽出手段によって前記許可情報が抽出された場合、前記読取データに基づいた画像データのイメージログ、及び前記ユーザの情報を含むログを生成し、生成された前記イメージログ及び前記ログを管理装置に出力する生成手段と、
前記抽出されたセキュリティレベルが、前記取得されたセキュリティレベル以下の場合には、前記イメージログ及び前記ログを生成することなく前記読取データに基づいた画像データを出力し、前記抽出されたセキュリティレベルが前記取得されたセキュリティレベルより高く、かつ前記抽出手段によって前記許可情報が抽出された場合には、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段と、
を含む画像処理装置。
【請求項３】
前記生成手段によって生成された前記イメージログ及び前記ログが前記管理装置の記憶装置に正常に記憶されなかったときに、警告を報知する報知手段を更に含む請求項１または請求項２に記載の画像処理装置。
【請求項４】
請求項１〜請求項３の何れか１項に記載の画像処理装置と前記管理装置とをネットワークを介して接続してなる
画像処理システム。
【請求項５】
画像が形成され、前記画像の複写を禁止する禁止情報を含む付加情報が形成された画像形成媒体から、前記画像及び前記付加情報を読み取り、読取データを出力する読取出力手段と、
前記読取データに基づいて、前記禁止情報を抽出する抽出手段と、
前記抽出手段によって前記禁止情報が抽出された場合、前記読取データに基づいたイメージログ、及び前記画像の出力を行うユーザの情報を含むログを生成し、生成された前記イメージログ及び前記ログを管理装置に出力する生成手段と、
前記抽出手段によって前記禁止情報が抽出されなかった場合には、前記イメージログ及び前記ログを生成することなく前記読取データに基づいた画像データを出力し、前記抽出手段によって前記禁止情報が抽出された場合には、画像の複写を管理する管理者用端末から画像の複写を許可する指示が通知されたときに、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段と、
を含む画像処理装置。
【請求項６】
画像が形成され、前記画像の複写を禁止する禁止情報を含むと共に、生成されたイメージログ及びログが記憶されたことを条件として複写を許可する許可情報を含む付加情報が必要に応じて形成された画像形成媒体から、前記画像及び前記付加情報を読み取り、読取データを出力する読取出力手段と、
前記読取データに基づいて、前記禁止情報、及び前記許可情報を抽出する抽出手段と、
前記抽出手段によって前記禁止情報及び前記許可情報が抽出された場合、前記読取データに基づいたイメージログ及び前記画像の出力を行うユーザの情報を含むログを生成し、生成された前記イメージログ及び前記ログを管理装置に出力する生成手段と、
前記抽出手段によって前記禁止情報が抽出されなかった場合には、前記イメージログ及び前記ログを生成することなく前記読取データに基づいた画像データを出力し、前記抽出手段によって前記禁止情報及び前記許可情報が抽出された場合には、画像の複写を管理する管理者用端末によって画像の複写を許可する指示が通知されたときに、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段と、
を含む画像処理装置。
【請求項７】
前記生成手段によって前記イメージログ及び前記ログが生成され、かつ前記イメージログ及び前記ログが前記管理装置の記憶装置に正常に記憶されなかった場合、または前記管理者用端末から画像の複写を禁止する指示が通知された場合には、警告を報知する報知手段を更に含む請求項５または請求項６に記載の画像処理装置。
【請求項８】
請求項５〜請求項７の何れか１項に記載の画像処理装置と前記管理装置とをネットワークを介して接続してなり、
前記管理装置は、前記画像処理装置の生成手段によって生成され出力されてきた前記イメージログ及び前記ログの内容を、画像の複写を管理する管理者用端末に通知する通知手段と、
前記管理者用端末から画像の複写を許可する指示が通知された場合に、前記イメージログ及び前記ログを前記記憶装置に記憶する記憶手段と、を含む
画像処理システム。
【請求項９】
前記記憶手段は、前記管理者用端末から、画像の複写を禁止する指示並びに前記イメージログ及び前記ログを記憶する指示が通知された場合には、前記イメージログ及び前記ログを前記記憶装置に記憶する請求項８に記載の画像処理システム。
【請求項１０】
コンピュータを、
画像が形成され、前記画像の複写の可否を決定するセキュリティレベルを含む付加情報が形成された画像形成媒体を読み取ることにより得られた読取データに基づいて、前記セキュリティレベルを抽出する抽出手段、
前記抽出手段によって抽出されたセキュリティレベルが、前記画像の複写を行うユーザに設定されたセキュリティレベルより高い場合、前記読取データに基づいたイメージログ、及び前記ユーザの情報を含むログを生成し、生成された前記イメージログ及び前記ログを管理装置に出力する生成手段、並びに
前記抽出手段によって抽出されたセキュリティレベルが、前記ユーザに設定されたセキュリティレベル以下の場合には、前記イメージログ及び前記ログを生成することなく前記読取データに基づいた画像データを出力し、前記抽出手段によって抽出されたセキュリティレベルが、前記ユーザに設定されたセキュリティレベルより高い場合には、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段
として機能させるためのプログラム。
【請求項１１】
コンピュータを、
画像が形成され、前記画像の複写の可否を決定するセキュリティレベルを含むと共に、生成されたイメージログ及びログが記憶されたことを条件として複写を許可する許可情報を含む付加情報が形成された画像形成媒体を読み取ることにより得られた読取データに基づいて、前記セキュリティレベル、及び前記許可情報を抽出する抽出手段、
前記抽出手段によって抽出されたセキュリティレベルが、前記画像の複写を行うユーザに設定されたセキュリティレベルより高く、かつ前記抽出手段によって前記許可情報が抽出された場合、前記読取データに基づいた画像データのイメージログ、及び前記ユーザの情報を含むログを生成し、生成された前記イメージログ及び前記ログを管理装置に出力する生成手段、並びに
前記抽出されたセキュリティレベルが、前記ユーザに設定されたセキュリティレベル以下の場合には、前記イメージログ及び前記ログを生成することなく前記読取データに基づいた画像データを出力し、前記抽出されたセキュリティレベルが前記ユーザに設定されたセキュリティレベルより高く、かつ前記抽出手段によって前記許可情報が抽出された場合には、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段
として機能させるためのプログラム。
【請求項１２】
コンピュータを、
画像が形成され、前記画像の複写を禁止する禁止情報を含む付加情報が形成された画像形成媒体を読み取ることにより得られた読取データに基づいて、前記禁止情報を抽出する抽出手段、
前記抽出手段によって前記禁止情報が抽出された場合、前記読取データに基づいたイメージログ、及び前記画像の出力を行うユーザの情報を含むログを生成し、生成された前記イメージログ及び前記ログを管理装置に出力する生成手段、並びに
前記抽出手段によって前記禁止情報が抽出されなかった場合には、前記イメージログ及び前記ログを生成することなく前記読取データに基づいた画像データを出力し、前記抽出手段によって前記禁止情報が抽出された場合には、画像の複写を管理する管理者用端末から画像の複写を許可する指示が通知されたときに、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段
として機能させるためのプログラム。
【請求項１３】
コンピュータを、
画像が形成され、前記画像の複写を禁止する禁止情報を含むと共に、生成されたイメージログ及びログが記憶されたことを条件として複写を許可する許可情報を含む付加情報が形成された画像形成媒体を読み取ることにより得られた読取データに基づいて、前記禁止情報、及び前記許可情報を抽出する抽出手段、
前記抽出手段によって前記禁止情報及び前記許可情報が抽出された場合、前記読取データに基づいたイメージログ及び前記画像の出力を行うユーザの情報を含むログを生成し、生成された前記イメージログ及び前記ログを管理装置に出力する生成手段、並びに
前記抽出手段によって前記禁止情報が抽出されなかった場合には、前記イメージログ及び前記ログを生成することなく前記読取データに基づいた画像データを出力し、前記抽出手段によって前記禁止情報及び前記許可情報が抽出された場合には、画像の複写を管理する管理者用端末によって画像の複写を許可する指示が通知されたときに、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段
として機能させるためのプログラム。
【発明の詳細な説明】
【技術分野】
【０００１】
この発明は、画像処理装置、画像処理システム、及びプログラムに関する。
【背景技術】
【０００２】
従来、画像が形成された紙原稿上に付加された付加情報から得られた原稿のセキュリティレベルと、原稿に形成された画像を読み取って得られた画像データを出力しようとするユーザのセキュリティレベルとに基づいて、所定のルールを参照して、画像データの出力の可否を判断する画像形成装置が知られている（例えば、特許文献１参照）。特許文献１に記載の画像形成装置では、例えば、ユーザのセキュリティレベルが”ＬＯＷ”であり、原稿のセキュリティレベルが”ＨＩＧＨ”である場合には、画像データの出力を行うことができないので、画像データの出力を行うために、ユーザのセキュリティレベルの設定を”ＬＯＷ”から、例えば”ＨＩＧＨ”に変更することにより画像データの出力を行うことができる。
【０００３】
また、従来、パターン画像と文書画像とが合成されて形成された原稿を読み取り、読み取った画像データのパターン画像データから、文書画像の機密レベルを検出して、検出した機密レベルに応じて複写を許可または禁止する画像処理システムが知られている（例えば、特許文献２参照）。
【特許文献１】特開２００５−１６６０２３号公報
【特許文献２】特開２００２−３０５６４６号公報
【発明の開示】
【発明が解決しようとする課題】
【０００４】
本発明は、ユーザのセキュリティレベルを変更することなく、追跡調査が可能な画像を出力することができる画像処理装置、画像処理システム、及びプログラムを提供することを目的とする。
【課題を解決するための手段】
【０００５】
上記目的を達成するために、請求項１に記載の発明の画像処理装置は、画像が形成され、前記画像の複写の可否を決定するセキュリティレベルを含む付加情報が形成された画像形成媒体から、前記画像及び前記付加情報を読み取り、読取データを出力する読取出力手段と、前記読取データに基づいて、前記セキュリティレベルを抽出する抽出手段と、前記画像の複写を行うユーザに設定されたセキュリティレベルを取得する取得手段と、前記抽出手段によって抽出されたセキュリティレベルが、前記取得手段によって取得されたセキュリティレベルより高い場合、前記読取データに基づいたイメージログ、及び前記ユーザの情報を含むログを生成し、生成された前記イメージログ及び前記ログを管理装置に出力する生成手段と、前記抽出されたセキュリティレベルが、前記取得されたセキュリティレベル以下の場合には、前記イメージログ及び前記ログを生成することなく前記読取データに基づいた画像データを出力し、前記抽出手段によって抽出されたセキュリティレベルが、前記取得手段によって取得されたセキュリティレベルより高い場合には、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段と、を含んで構成されている。
【０００６】
また、上記目的を達成するために、請求項２に記載の発明の画像処理装置は、画像が形成され、前記画像の複写の可否を決定するセキュリティレベルを含むと共に、生成されたイメージログ及びログが記憶されたことを条件として複写を許可する許可情報を含む付加情報が形成された画像形成媒体から、前記画像及び前記付加情報を読み取り、読取データを出力する読取出力手段と、前記読取データに基づいて、前記セキュリティレベル、及び前記許可情報を抽出する抽出手段と、前記画像の複写を行うユーザに設定されたセキュリティレベルを取得する取得手段と、前記抽出手段によって抽出されたセキュリティレベルが、前記取得手段によって取得されたセキュリティレベルより高く、かつ前記抽出手段によって前記許可情報が抽出された場合、前記読取データに基づいた画像データのイメージログ、及び前記ユーザの情報を含むログを生成し、生成された前記イメージログ及び前記ログを管理装置に出力する生成手段と、前記抽出されたセキュリティレベルが、前記取得されたセキュリティレベル以下の場合には、前記イメージログ及び前記ログを生成することなく前記読取データに基づいた画像データを出力し、前記抽出されたセキュリティレベルが前記取得されたセキュリティレベルより高く、かつ前記抽出手段によって前記許可情報が抽出された場合には、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段と、を含んで構成されている。
【０００７】
また、上記目的を達成するために、請求項３に記載の発明の画像処理装置は、前記生成手段によって生成された前記イメージログ及び前記ログが前記管理装置の記憶装置に正常に記憶されなかったときに、警告を報知する報知手段を更に含むようにしたものである。
【０００８】
また、上記目的を達成するために、請求項４に記載の発明の画像処理システムは、前記画像処理装置と前記管理装置とをネットワークを介して接続してなる。
【０００９】
また、上記目的を達成するために、請求項５に記載の発明の画像処理装置は、画像が形成され、前記画像の複写を禁止する禁止情報を含む付加情報が形成された画像形成媒体から、前記画像及び前記付加情報を読み取り、読取データを出力する読取出力手段と、前記読取データに基づいて、前記禁止情報を抽出する抽出手段と、前記抽出手段によって前記禁止情報が抽出された場合、前記読取データに基づいたイメージログ、及び前記画像の出力を行うユーザの情報を含むログを生成し、生成された前記イメージログ及び前記ログを管理装置に出力する生成手段と、前記抽出手段によって前記禁止情報が抽出されなかった場合には、前記イメージログ及び前記ログを生成することなく前記読取データに基づいた画像データを出力し、前記抽出手段によって前記禁止情報が抽出された場合には、画像の複写を管理する管理者用端末から画像の複写を許可する指示が通知されたときに、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段と、を含んで構成されている。
【００１０】
また、上記目的を達成するために、請求項６に記載の発明の画像処理装置は、画像が形成され、前記画像の複写を禁止する禁止情報を含むと共に、生成されたイメージログ及びログが記憶されたことを条件として複写を許可する許可情報を含む付加情報が必要に応じて形成された画像形成媒体から、前記画像及び前記付加情報を読み取り、読取データを出力する読取出力手段と、前記読取データに基づいて、前記禁止情報、及び前記許可情報を抽出する抽出手段と、前記抽出手段によって前記禁止情報及び前記許可情報が抽出された場合、前記読取データに基づいたイメージログ及び前記画像の出力を行うユーザの情報を含むログを生成し、生成された前記イメージログ及び前記ログを管理装置に出力する生成手段と、前記抽出手段によって前記禁止情報が抽出されなかった場合には、前記イメージログ及び前記ログを生成することなく前記読取データに基づいた画像データを出力し、前記抽出手段によって前記禁止情報及び前記許可情報が抽出された場合には、画像の複写を管理する管理者用端末によって画像の複写を許可する指示が通知されたときに、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段と、を含んで構成されている。
【００１１】
また、上記目的を達成するために、請求項７に記載の発明の画像処理装置は、前記生成手段によって前記イメージログ及び前記ログが生成され、かつ前記イメージログ及び前記ログが前記管理装置の記憶装置に正常に記憶されなかった場合、または前記管理者用端末から画像の複写を禁止する指示が通知された場合には、警告を報知する報知手段を更に含むようにしたものである。
【００１２】
また、請求項８に記載の発明の画像処理システムは、前記画像処理装置と前記管理装置とをネットワークを介して接続してなり、前記管理装置は、前記画像処理装置の生成手段によって生成され出力されてきた前記イメージログ及び前記ログの内容を、画像の複写を管理する管理者用端末に通知する通知手段と、前記管理者用端末から画像の複写を許可する指示が通知された場合に、前記イメージログ及び前記ログを前記記憶装置に記憶する記憶手段と、を含む。
【００１３】
また、請求項９に記載の発明の画像処理システムは、前記記憶手段は、前記管理者用端末から、画像の複写を禁止する指示並びに前記イメージログ及び前記ログを記憶する指示が通知された場合には、前記イメージログ及び前記ログを前記記憶装置に記憶するようにしたものである。
【００１４】
また、上記目的を達成するために、請求項１０に記載の発明のプログラムは、コンピュータを、画像が形成され、前記画像の複写の可否を決定するセキュリティレベルを含む付加情報が形成された画像形成媒体を読み取ることにより得られた読取データに基づいて、前記セキュリティレベルを抽出する抽出手段、前記抽出手段によって抽出されたセキュリティレベルが、前記画像の複写を行うユーザに設定されたセキュリティレベルより高い場合、前記読取データに基づいたイメージログ、及び前記ユーザの情報を含むログを生成し、生成された前記イメージログ及び前記ログを管理装置に出力する生成手段、並びに前記抽出手段によって抽出されたセキュリティレベルが、前記ユーザに設定されたセキュリティレベル以下の場合には、前記イメージログ及び前記ログを生成することなく前記読取データに基づいた画像データを出力し、前記抽出手段によって抽出されたセキュリティレベルが、前記ユーザに設定されたセキュリティレベルより高い場合には、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段として機能させる。
【００１５】
また、上記目的を達成するために、請求項１１に記載の発明のプログラムは、コンピュータを、画像が形成され、前記画像の複写の可否を決定するセキュリティレベルを含むと共に、生成されたイメージログ及びログが記憶されたことを条件として複写を許可する許可情報を含む付加情報が形成された画像形成媒体を読み取ることにより得られた読取データに基づいて、前記セキュリティレベル、及び前記許可情報を抽出する抽出手段、前記抽出手段によって抽出されたセキュリティレベルが、前記画像の複写を行うユーザに設定されたセキュリティレベルより高く、かつ前記抽出手段によって前記許可情報が抽出された場合、前記読取データに基づいた画像データのイメージログ、及び前記ユーザの情報を含むログを生成し、生成された前記イメージログ及び前記ログを管理装置に出力する生成手段、並びに前記抽出されたセキュリティレベルが、前記ユーザに設定されたセキュリティレベル以下の場合には、前記イメージログ及び前記ログを生成することなく前記読取データに基づいた画像データを出力し、前記抽出されたセキュリティレベルが前記ユーザに設定されたセキュリティレベルより高く、かつ前記抽出手段によって前記許可情報が抽出された場合には、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段として機能させる。
【００１６】
また、上記目的を達成するために、請求項１２に記載の発明のプログラムは、コンピュータを、画像が形成され、前記画像の複写を禁止する禁止情報を含む付加情報が形成された画像形成媒体を読み取ることにより得られた読取データに基づいて、前記禁止情報を抽出する抽出手段、前記抽出手段によって前記禁止情報が抽出された場合、前記読取データに基づいたイメージログ、及び前記画像の出力を行うユーザの情報を含むログを生成し、生成された前記イメージログ及び前記ログを管理装置に出力する生成手段、並びに前記抽出手段によって前記禁止情報が抽出されなかった場合には、前記イメージログ及び前記ログを生成することなく前記読取データに基づいた画像データを出力し、前記抽出手段によって前記禁止情報が抽出された場合には、画像の複写を管理する管理者用端末から画像の複写を許可する指示が通知されたときに、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段として機能させる。
【００１７】
また、上記目的を達成するために、請求項１３に記載の発明のプログラムは、コンピュータを、画像が形成され、前記画像の複写を禁止する禁止情報を含むと共に、生成されたイメージログ及びログが記憶されたことを条件として複写を許可する許可情報を含む付加情報が形成された画像形成媒体を読み取ることにより得られた読取データに基づいて、前記禁止情報、及び前記許可情報を抽出する抽出手段、前記抽出手段によって前記禁止情報及び前記許可情報が抽出された場合、前記読取データに基づいたイメージログ及び前記画像の出力を行うユーザの情報を含むログを生成し、生成された前記イメージログ及び前記ログを管理装置に出力する生成手段、並びに前記抽出手段によって前記禁止情報が抽出されなかった場合には、前記イメージログ及び前記ログを生成することなく前記読取データに基づいた画像データを出力し、前記抽出手段によって前記禁止情報及び前記許可情報が抽出された場合には、画像の複写を管理する管理者用端末によって画像の複写を許可する指示が通知されたときに、前記生成手段によって生成されて前記管理装置に出力された前記イメージログ及び前記ログが前記管理装置の記憶装置に正常に記憶されたことを示す通知を前記管理装置から受信した場合にのみ、前記画像データを出力する画像データ出力手段として機能させる。
【発明の効果】
【００１８】
請求項１、２、４、１０、及び１１の各発明によれば、ユーザのセキュリティレベルを変更することなく、追跡調査が可能な画像を出力することができる、という効果が得られる。
【００１９】
請求項３及び７の各発明によれば、画像の複写が行われなかった場合に警告をユーザに報知することができる。
【００２０】
請求項５、６、８、１２及び１３の各発明によれば、ユーザのセキュリティレベルを変更することなく、管理者用端末からの通知により、追跡調査が可能な画像を出力することができる、という効果が得られる。
【００２１】
請求項９の発明によれば、管理者用端末を操作する、例えば管理者が複写を許可しない場合に、どのユーザがどのような画像を複写しようとしていたのかを知ることができる。
【発明を実施するための最良の形態】
【００２２】
以下、図面を参照して、本発明の画像処理システムの実施の形態を詳細に説明する。
【００２３】
［第１の実施の形態］
【００２４】
図１に示すように、第１の実施の形態に係る画像処理システム１０は、画像処理装置としての複写機１２と、記憶したイメージログ及びログを管理するための管理装置としてのログ監視サーバ１４とを備えている。複写機１２とログ監視サーバ１４とはネットワーク１６を介して互いに接続されている。
【００２５】
複写機１２は、ユーザインタフェース（Ｕ／Ｉ）１８と、ユーザ情報取得装置２０と、スキャナ２２と、印刷部２４と、ＦＡＸ部２６と、制御装置２８と、ネットワーク１６に接続されたネットワークインターフェース（Ｉ／Ｆ）３０を備えている。
【００２６】
Ｕ／Ｉ１８は、ユーザからの操作を受け付けるタッチパネル及び入力された情報に基づいた表示を行うＬＣＤを備えた表示装置を含んで構成されている。Ｕ／Ｉ１８には、ユーザ情報取得装置２０が接続されている。
【００２７】
ユーザ情報取得装置２０は、非接触カードリーダを備えており、例えば、複写機１２に所望の処理を複写機２８に実行させようとするユーザのＩＤカード（例えば、社員証）が非接触カードリーダから所定の範囲内に近接した場合には、ＩＤカードからユーザ情報を読み取って取得する。本実施の形態では、例えば、ユーザがＵ／Ｉ１８のタッチパネルを操作して原稿の複写の指示を入力する際に、ユーザ情報取得装置２０にＩＤカードを近づけてユーザ情報を読み取らせる。これにより、ユーザ情報が含まれた複写の指示がＵ／Ｉ１８から出力される。
【００２８】
なお、本実施の形態では、ＩＤカードから読み取ったユーザ情報には、例えば、ユーザを識別するためのユーザＩＤ、及びユーザに設定されたセキュリティレベル等が含まれている。
【００２９】
スキャナ２２は、原稿台ガラス（図示せず）上に配置された画像形成媒体としての原稿を読み取り、読取データを出力する。なお、本実施の形態では、図２に示すように、スキャナ２２に読み取られる原稿３６には、画像（図２の例では、”あいうえ”）３８が形成され、所定の情報を含む付加情報（例えば本実施の形態では地紋（パターン画像））４０が必要に応じて形成されている。これにより、スキャナ２２は、原稿３６から、画像３８及び必要に応じて形成された地紋４０を読み取り、読取データを出力する。なお、付加情報には、例えば、画像３８の複写の可否を決定するセキュリティレベルが含まれ、また、画像３８の複写を禁止する禁止情報が必要に応じて含まれる。
【００３０】
印刷部２４は、入力された画像データに基づいて、印刷を行う。
【００３１】
ＦＡＸ部２６は、入力された画像データに基づいて、ＦＡＸ送信を行う。
【００３２】
制御装置２８は、ＯＳ等の基本プログラムが記憶された記憶媒体としてのＲＯＭ２８ａ、下記で詳細を説明する第１の複写処理ルーチンを実行するためのプログラム及び各種処理ルーチンを実行するためのプログラムが記憶された記憶媒体としてのＨＤＤ（ハード  ディスク  ドライブ）２８ｂ、プログラムをＲＯＭ２８ａ及びＨＤＤ２８ｂから読み出して実行するＣＰＵ２８ｃ、各種データを一時的に記憶するＲＡＭ２８ｄ、並びにＩ／Ｏ（入出力）ポート２８ｅ等を含んで構成されたマイクロコンピュータで構成されており、これらＲＯＭ２８ａ、ＨＤＤ２８ｂ、ＣＰＵ２８ｃ、ＲＡＭ２８ｄ、及びＩ／Ｏポート２８ｅは互いにバス２８ｆで接続されている。Ｉ／Ｏポート２８ｅには、Ｕ／Ｉ１８、スキャナ２２、印刷部２４、ＦＡＸ部２６、及びＩ／Ｆ３０が接続されている。
【００３３】
ログ監視サーバ１４は、制御装置３２と、ネットワーク１６に接続されたネットワークインターフェース（Ｉ／Ｆ）３４を備えている。
【００３４】
制御装置３２は、ＯＳ等の基本プログラムが記憶された記憶媒体としてのＲＯＭ３２ａ、下記で詳細を説明する第１の記憶処理ルーチンを実行するためのプログラム及び各種処理ルーチンを実行するためのプログラムが記憶された記憶媒体としてのＨＤＤ（ハード  ディスク  ドライブ）３２ｂ、プログラムをＲＯＭ３２ａ及びＨＤＤ３２ｂから読み出して実行するＣＰＵ３２ｃ、各種データを一時的に記憶するＲＡＭ３２ｄ、並びにＩ／Ｏ（入出力）ポート３２ｅ等を含んで構成されたマイクロコンピュータで構成されており、これらＲＯＭ３２ａ、ＨＤＤ３２ｂ、ＣＰＵ３２ｃ、ＲＡＭ３２ｄ、及びＩ／Ｏポート３２ｅは互いにバス３２ｆで接続されている。Ｉ／Ｏポート３２ｅには、Ｉ／Ｆ３４が接続されている。
【００３５】
次に、制御装置２８の動作について説明する。制御装置２８のＣＰＵ２８ｃが実行する第１の複写処理ルーチンについて図３を用いて説明する。なお、本実施の形態において、この第１の複写処理ルーチンは、制御装置２８のスイッチ（図示せず）がオンされることにより所定時間間隔（例えば、数１０ｍｓｅｃ）毎に実行される。
【００３６】
まず、ステップ１００で、Ｕ／Ｉ１８から複写指示が入力されたか否かを判定する。なお、上述したように、複写指示にはユーザ情報が含まれている。
【００３７】
ステップ１００で、入力されたと判定された場合には、次のステップ１０２で、複写指示に含まれているユーザ情報からユーザのセキュリティレベルを抽出する。
【００３８】
次のステップ１０４では、原稿台ガラス（図示せず）上に配置された原稿３６を読み取って、読取データを出力させるようにスキャナ２２に制御信号を出力することにより、スキャナ２２から読取データを取得する。
【００３９】
次のステップ１０６では、ステップ１０４で取得した読取データを解析することにより、原稿３６に必要に応じて形成された地紋４０を検出する。
【００４０】
次のステップ１０８では、ステップ１０６で地紋４０を検出できたか否かを判定する。
【００４１】
ステップ１０８で、地紋４０を検出できなかったと判定された場合には、スキャナ２２で読み取った原稿３６はセキュリティ管理を行う必要がない原稿であると判断して、次のステップ１１８で、ステップ１０４において取得した読取データに対して所定の画像処理を施し、その次のステップ１２０で、所定の画像処理が施された読取データを画像データとして出力し、第１の複写処理ルーチンを終了する。すなわち、ステップ１１８及びステップ１２０では、読取データに基づいた画像データを出力する。
【００４２】
なお、ステップ１２０では、ステップ１００で入力されたと判定された複写指示に”印刷の実行”の指示が含まれている場合には、画像データを印刷部２４に出力する。これにより、画像データに基づいた画像が形成された用紙が印刷部２４から出力される。また、ステップ１２０では、ステップ１００で入力されたと判定された複写指示に”ＦＡＸの実行”の指示が含まれている場合には、画像データをＦＡＸ部２６に出力する。これにより、ＦＡＸ部２６によって画像データに基づいた画像のＦＡＸ送信が行われる。また、ステップ１２０では、ステップ１００で入力されたと判定された複写指示に”ファイル出力”の指示が含まれている場合には、画像データを指示された場所または所定の場所に出力する。
【００４３】
一方、ステップ１０８で、地紋４０を検出できたと判定された場合には、次のステップ１１０で、地紋４０の解析を行い、各種情報を抽出する。ステップ１１０での処理によって、例えば、地紋４０が、複写を禁止する禁止情報を含んでいる場合には、複写を禁止する禁止情報が抽出され、地紋４０が、画像３８の複写の可否を決定するセキュリティレベルを含んでいる場合には、当該セキュリティレベルが抽出される。
【００４４】
次のステップ１１２では、ステップ１１０で複写を禁止する禁止情報を抽出できたか否かを判定する。
【００４５】
ステップ１１２で、複写を禁止する禁止情報を抽出できなかったと判定された場合には、複写が禁止されていないと判断して、上述したステップ１１８へ進む。
【００４６】
一方、ステップ１１２で、複写を禁止する禁止情報を抽出できたと判定された場合には、次のステップ１１４で、ステップ１０２において抽出したユーザに設定されたセキュリティレベルと、ステップ１１０において抽出した画像３８の複写の可否を決定するセキュリティレベルとを比較して、画像３８の複写の可否を決定するセキュリティレベルが、ユーザに設定されたセキュリティレベルより高いか否かを判定する。
【００４７】
ステップ１１４で、画像３８の複写の可否を決定するセキュリティレベルが、ユーザに設定されたセキュリティレベル以下であると判定された場合には、複写を行ってもよいと判断して、上述したステップ１１８へ進む。
【００４８】
一方、ステップ１１４で、画像３８の複写の可否を決定するセキュリティレベルが、ユーザに設定されたセキュリティレベルより高いと判定された場合には、次のステップ１１６で、読取データに基づいたイメージログ及びユーザの情報を含むログを生成する。具体的には、ステップ１１６では、ステップ１０４で取得した読取データに所定の画像処理を施して、例えば、ＯＣＲ処理によって解析可能な程度の解像度（例えば２００ｄｐｉ）の画像データを生成することによりイメージログを生成する。また、ステップ１１６では、ユーザの情報（例えば、ステップ１００で受信した複写指示に含まれているユーザＩＤ、ユーザに設定されたセキュリティレベル）、複写機１２を特定するためのマシン番号、画像３８の複写の可否を決定するセキュリティレベル、及び受信した指示（入力された指示）の種類（例えば、複写指示等）がテキストデータで表されたログを生成する。
【００４９】
次のステップ１２２では、ステップ１１６で生成されたイメージログ及びログをログ監視サーバ１４へ出力する。
【００５０】
次のステップ１２４では、詳細は以下で説明するが、ログ監視サーバ１４からの通知を受信するまで待機する。
【００５１】
なお、詳細は後述するが、本実施の形態のログ監視サーバ１４は、複写機１２からイメージログ及びログを受信すると、イメージログ及びログを正常にＨＤＤ３２ｂに記憶できた場合には、複写を行ってもよいと判断して、複写を許可する通知を複写機１２へ出力し、正常にＨＤＤ３２ｂに記憶できなかった場合には、複写された画像の追跡調査が行えなくなるため複写を行ってはいけないと判断して、複写を禁止する通知を複写機１２へ出力する。
【００５２】
ステップ１２４で、ログ監視サーバ１４からの通知を受信すると、次のステップ１２６では、ステップ１２４において受信した通知は複写を許可する通知であるか否かを判定する。
【００５３】
ステップ１２６で、複写を許可する通知であると判定された場合には、複写を行うために、上述したステップ１１８へ進む。
【００５４】
一方、ステップ１２６で、複写を許可する通知ではないと判定された場合には、次のステップ１２８で、ユーザに警告を報知する。ステップ１２８では、例えば、図４に示すように、Ｕ／Ｉ１８に、”イメージログ及びログが保存できなかったので、複写を行うことができません”と表示されるようにＵ／Ｉ１８の表示制御を行うことにより、ユーザに警告を報知する。そして、第１の複写処理ルーチンを終了する。
【００５５】
次に、制御装置３２の動作について説明する。制御装置３２のＣＰＵ３２ｃが実行する第１の記憶処理ルーチンについて図５を用いて説明する。なお、本実施の形態において、この第１の記憶処理ルーチンは、制御装置３２のスイッチ（図示せず）がオンされることにより所定時間間隔（例えば、数１０ｍｓｅｃ）毎に実行される。
【００５６】
まず、ステップ２００で、複写機１２からイメージログ及びログを受信したか否かを判定する。
【００５７】
ステップ２００で、受信したと判定された場合には、次のステップ２０２で、受信したイメージログ及びログをＨＤＤ３２ｂに記憶させる処理を行う。
【００５８】
次のステップ２０４では、ステップ２０２における記憶させる処理が正常終了したか否かを判定することにより、イメージログ及びログがＨＤＤ３２ｂに記憶されたか否かを判定する。なお、正常終了しなかった場合としては、例えば、記憶しようとするイメージログ及びログのサイズが、ＨＤＤ３２ｂの残りの容量が大きいため、全てのイメージログ及びログを記憶できなかった場合や、ＨＤＤ３２ｂの故障により、イメージログ及びログを記憶できなかった場合等が挙げられる。
【００５９】
ステップ２０４で、記憶されたと判定された場合には、次のステップ２０６で、複写を許可する通知を複写機１２へ出力する。
【００６０】
一方、ステップ２０４で、記憶されていないと判定された場合には、複写を禁止する通知を複写機１２へ出力する。
【００６１】
以上説明したように、本実施の形態に係る複写機１２は、画像３８が形成され、画像３８の複写の可否を決定するセキュリティレベルを含む付加情報（地紋）４０が必要に応じて形成された原稿３６から、画像３８及び必要に応じて形成された地紋４０を読み取り、読取データを出力するスキャナ２２、及び画像３８の複写を行うユーザに設定されたセキュリティレベルを取得するユーザ情報取得装置２０を備えている。
【００６２】
また、本実施の形態によれば、第１の複写処理ルーチンのステップ１０４〜１１０での処理によって、読取データに基づいて、画像３８の複写の可否を決定するセキュリティレベルを抽出する。また、本実施の形態によれば、第１の複写処理ルーチンのステップ１１４において、ステップ１１０で抽出されたセキュリティレベルがユーザ情報取得装置２０によって取得されたセキュリティレベルより高いと判定された場合には、ステップ１１６において、読取データに基づいたイメージログ及びユーザの情報を含むログを生成する。そして、ログ監視サーバ１４は、イメージログ及びログがログ監視サーバ１４のＨＤＤ３２ｂに記憶された場合には、第１の記憶処理ルーチンのステップ２０６において、複写機１２へ複写を許可する通知を出力する。複写を許可する通知を受信した複写機１２は、第１の複写処理ルーチンのステップ１１８〜１２０の処理で、読取データに基づいた画像データの出力を行う。すなわち、本実施の形態では、複写機１２は、ステップ１１０で抽出されたセキュリティレベルが、ユーザ情報取得装置２０によって取得されたセキュリティレベルより高い場合には、ステップ１１６で生成されたイメージログ及びログが記憶されたことを条件として、読取データに基づいた画像データの出力を行う。
【００６３】
なお、本実施の形態では、複写機１２がイメージログ及びログを生成し、サーバ１４がイメージログ及びログを記憶したことを条件として、複写機１２が画像データを出力する例について説明したが、本発明はこれに限られず、複写機１２がイメージログ及びログの少なくとも一方を生成し、生成されたイメージログ及びログの少なくとも一方をサーバ１４が記憶したことを条件として、複写機１２が画像データを出力するようにしてもよい。
【００６４】
また、本実施の形態では、第１の複写処理ルーチンのステップ１１６において、イメージログ及びログを生成する例について説明したが、本発明はこれに限られない。図６に示すように、地紋４０に、更に、画像３８の原本（元データ）の格納場所を示す情報を含ませ、図７に示すように、第１の複写処理ルーチンのステップ１１０で、更に、画像３８の原本（元データ）の格納場所を示す情報を抽出し、ステップ１１４で肯定判定された場合には、次のステップ１１５で、ステップ１１０において画像３８の原本（元データ）の格納場所を示す情報を抽出できたか否かを判定し、抽出できなかったと判定された場合には、上述したステップ１１６へ進み、一方、抽出できたと判定された場合には、次のステップ１１７で、ユーザの情報を含むログのみを生成するようにしてもよい。なお、ログのみを生成した場合には、ステップ１２２でログをログ監視サーバ１４へ出力し、ログ監視サーバ１４は、ログをＨＤＤ３２ｂに記憶できた場合には複写を許可する通知を複写機１２へ出力し、記憶できなかった場合には、複写を禁止する通知を複写機１２へ出力する。
【００６５】
［第２の実施の形態］
【００６６】
次に、本発明の第２の実施の形態に係る画像処理システムについて説明する。なお、第１の実施の形態と同様の構成及び同様の処理については、同一の符号を付して説明を省略する。
【００６７】
本実施の形態では、図８に示すように、地紋４０に、更に、イメージログ及びログが記憶されたことを条件として複写を許可する許可情報を必要に応じて含ませ、図９に示す、第２の複写処理ルーチンを実行するためのプログラムがＨＤＤ２８ｂに記憶され、ＣＰＵ２８ｃが第２の複写処理ルーチンを実行する点が第１の実施の形態と異なる。
【００６８】
本実施の形態に係る画像処理システムの作用を説明する。
【００６９】
複写機１２の制御装置２８のＣＰＵ２８ｃが行う第２の複写処理ルーチンについて図９を用いて説明する。
【００７０】
第２の複写処理ルーチンでは、ステップ１０８で、地紋４０を検出できたと判定された場合には、次のステップ１１１で、地紋４０の解析を行い、地紋４０が示す各種情報を抽出する。ステップ１１１での処理によって、例えば、地紋４０が、複写を禁止する禁止情報を含んでいる場合には、複写を禁止する禁止情報が抽出され、地紋４０が、画像３８の複写の可否を決定するセキュリティレベルを含んでいる場合には、当該セキュリティレベルが抽出され、地紋４０が、イメージログ及びログが記憶されたことを条件として複写を許可する許可情報を含んでいる場合には、当該許可情報を抽出する。
【００７１】
そして、ステップ１１４で肯定判定された場合には、次のステップ１３０で、ステップ１１０においてイメージログ及びログが記憶されたことを条件として複写を許可する許可情報を抽出できたか否かを判定する。
【００７２】
ステップ１３０で、抽出できたと判定された場合には次のステップ１１６へ進む。
【００７３】
一方、ステップ１３０で、抽出できなかったと判定された場合には、次のステップ１３２で、ユーザに警告を報知する。ステップ１３２では、例えば、図１０に示すように、Ｕ／Ｉ１８に、”複写を行うことができません”と表示されるようにＵ／Ｉ１８の表示制御を行うことにより、ユーザに警告を報知する。そして、第２の複写処理ルーチンを終了する。
【００７４】
以上説明したように、本実施の形態における地紋４０が示す付加情報には、イメージログ及びログが記憶されたことを条件として複写を許可する許可情報が必要に応じて含まれており、本実施の形態における第２の複写処理ルーチンのステップ１１１において抽出されたセキュリティレベルがユーザ情報取得装置２０によって取得されたセキュリティレベルより高く、かつステップ１１１においてイメージログ及びログが記憶されたことを条件として複写を許可する許可情報が抽出された場合には、ステップ１１６において、読取データに基づいたイメージログ及びユーザの情報を含むログを生成する。そして、イメージログ及びログがサーバ１４に記憶されたことを条件として、ステップ１１８〜１２０の処理で、読取データに基づいた画像データの出力を行う。
【００７５】
なお、本実施の形態では、複写機１２がイメージログ及びログが記憶されたことを条件として複写を許可する許可情報を抽出した場合に、イメージログ及びログを生成し、サーバ１４がイメージログ及びログを記憶した場合には、複写機１２が画像データを出力する例について説明したが、本発明はこれに限られず、複写機１２が、イメージログ及びログが記憶されたことを条件として複写を許可する許可情報を抽出した場合に、イメージログ及びログの少なくとも一方を生成し、生成されたイメージログ及びログの少なくとも一方をサーバ１４が記憶した場合には、複写機１２が画像データを出力するようにしてもよい。
【００７６】
［第３の実施の形態］
【００７７】
次に、本発明の第３の実施の形態に係る画像処理システムについて説明する。なお、第１の実施の形態及び第２の実施の形態と同様の構成及び同様の処理については、同一の符号を付して説明を省略する。
【００７８】
本実施の形態では、図１１に示すように、ネットワーク１６に、外部装置、例えば本画像処理システムにおいて画像の複写を管理する管理者のための管理者用端末４０が接続されており、図１２に示す、第３の複写処理ルーチンを実行するためのプログラムがＨＤＤ２８ｂに記憶され、ＣＰＵ２８ｃが第３の複写処理ルーチンを実行し、かつ図１３に示す、第２の記憶処理ルーチンを実行するためのプログラムがＨＤＤ３２ｂに記憶され、ＣＰＵ３２ｃが第２の記憶処理ルーチンを実行する点が第１の実施の形態及び第２の実施の形態と異なる。なお、管理者用端末４０は、入力されたデータに基づいて表示を行う表示部４２が備えられている。
【００７９】
本実施の形態に係る画像処理システムの作用を説明する。
【００８０】
複写機１２の制御装置２８のＣＰＵ２８ｃが行う第３の複写処理ルーチンについて図１２を用いて説明する。
【００８１】
第３の複写処理ルーチンでは、ステップ１１２で、複写を禁止する禁止情報を抽出できたと判定された場合には、上述したステップ１１６へ進む。
【００８２】
ログ監視サーバ１４の制御装置３２のＣＰＵ３２ｃが行う第２の記憶処理ルーチンについて図１３を用いて説明する。
【００８３】
第２の記憶処理ルーチンでは、ステップ２００でイメージログ及びログを受信したと判定された場合には、次のステップ２１０で、受信したログに含まれる、ユーザに設定されたセキュリティレベル及び画像３８の複写の可否を決定するセキュリティレベルを抽出する。
【００８４】
次のステップ２１２では、受信したイメージログ及びログの内容を管理者用端末４０に通知する。ステップ２１２では、例えば、抽出したユーザのセキュリティレベル及び画像３８の複写の可否を決定するセキュリティレベル、並びに受信したイメージログを管理者用端末４０に通知する。これにより、図１４に示すように、管理者用端末４０の表示部４２には、イメージログ６０、ユーザに設定されたセキュリティレベル６２、及び画像３８に設定されたセキュリティレベル６４が表示される。
【００８５】
そして、管理者は、表示部４２に表示された内容を確認して、画像３８の複写を許可する場合には、複写を許可する指示を通知するためのラジオボタン６６を選択し、通知ボタン７０を押下することにより、ログ監視サーバ１４へ画像３８の複写を許可する指示を通知することができる。また、管理者は、画像３８の複写を禁止する場合には、複写を禁止する指示を通知するためのラジオボタン６８を選択し、更に、イメージログ及びログを保存させる場合には、イメージログ及びログを保存する指示を通知するためのラジオボタン７２を選択し、イメージログ及びログを保存させない場合には、イメージログ及びログを保存しない指示を通知するためのラジオボタン７４を選択して、通知ボタン７０を押下することにより、ログ監視サーバ１４へ画像３８の複写を禁止する指示及びイメージログ及びログを保存する指示または保存しない指示を通知することができる。
【００８６】
次のステップ２１４では、管理者用端末４０からの指示を受信したか否かを判定する。
【００８７】
ステップ２１４で指示を受信したと判定された場合には、次のステップ２１６で、受信した指示が、画像３８の複写を許可する指示が含まれているか否かを判定する。
【００８８】
ステップ２１６で、画像３８の複写を許可することを示す指示が含まれていると判定された場合には、上述したステップ２０２へ進む。
【００８９】
一方、ステップ２１６で、画像３８の複写を許可する指示ではないと判定された場合には、次のステップ２１８で、管理者用端末４０からの指示に、イメージログ及びログを保存する指示が含まれているか否かを判定する。
【００９０】
ステップ２１８で、含まれていないと判定された場合には、ステップ２０８へ進む。
【００９１】
一方、ステップ２１８で、含まれていると判定された場合には、次のステップ２２０で受信したイメージログ及びログをＨＤＤ３２ｂに記憶させる処理を行う。
【００９２】
以上、説明したように、本実施の形態では、第３の複写処理ルーチンのステップ１１０で複写を禁止する禁止情報が抽出された場合に、画像３８の複写を管理する管理者用端末４０から、画像３８の複写を許可する指示が通知されたときには、第３の複写処理ルーチンのステップ１１６で生成されたイメージログ及びログがＨＤＤ３２ｂに記憶されたことを条件として、ステップ１２０で、読取データに基づいた画像データの出力を行う。
【００９３】
なお、本実施の形態では、複写機１２が、複写を禁止する禁止情報を抽出した場合に、イメージログ及びログを生成し、管理者用端末４０から、画像３８の複写を許可する指示が通知されたときには、サーバ１４がイメージログ及びログを記憶したことを条件として、複写機１２が画像データを出力する例について説明したが、本発明はこれに限られない。例えば、複写機１２が、イメージログ及びログの少なくとも一方が記憶されたことを条件として複写を許可する許可情報を抽出した場合に、イメージログ及びログの少なくとも一方を生成し、管理者用端末４０から、画像３８の複写を許可する指示が通知されたときには、サーバ１４が、生成されたイメージログ及びログの少なくとも一方を記憶したことを条件として、複写機１２が画像データを出力してもよい。
【００９４】
また、複写機１２が、複写を禁止する禁止情報を抽出した場合に、第２の実施の形態と同様に、複写機１２がイメージログ及びログが記憶されたことを条件として複写を許可する許可情報を抽出したときには、イメージログ及びログを生成し、サーバ１４がイメージログ及びログを記憶した場合には、複写機１２が画像データを出力するようにしてもよい。
【００９５】
また、本実施の形態では、第３の複写処理ルーチンのステップ１１６において、イメージログ及びログを生成する例について説明したが、本発明はこれに限られない。図６に示すように、地紋４０が示す付加情報に、更に、画像３８の原本（元データ）の格納場所を示す情報を含ませ、図１５に示すように、ステップ１１０で、更に、画像３８の原本（元データ）の格納場所を示す情報を抽出し、ステップ１１２で肯定判定された場合には、次のステップ１１５で、ステップ１１０において画像３８の原本（元データ）の格納場所を示す情報を抽出できたか否かを判定し、抽出できなかったと判定された場合には、上述したステップ１１６へ進み、一方、抽出できたと判定された場合には、次のステップ１１７で、ユーザの情報を含むログのみを生成するようにしてもよい。なお、ログのみを生成した場合には、ステップ１２２でログをログ監視サーバ１４へ出力し、ログ監視サーバ１４は、ログをＨＤＤ３２ｂに記憶できた場合には複写を許可する通知を複写機１２へ出力し、記憶できなかった場合には、複写を禁止する通知を複写機１２へ出力する。
【図面の簡単な説明】
【００９６】
【図１】第１の実施の形態を示す概略図である。
【図２】第１の実施の形態における原稿に形成された画像と地紋を示す図である。
【図３】第１の実施の形態における複写機の制御装置のＣＰＵが行う第１の複写処理ルーチンのフローチャートを示す図である。
【図４】第１の実施の形態におけるユーザに報知される警告内容の１例を示す図である。
【図５】第１の実施の形態におけるログ監視サーバの制御装置のＣＰＵが行う第１の記憶処理ルーチンのフローチャートを示す図である。
【図６】第１の実施の形態における他の例の原稿に形成された画像と地紋を示す図である。
【図７】第１の実施の形態における他の例の複写機の制御装置のＣＰＵが行う第１の複写処理ルーチンのフローチャートを示す図である。
【図８】第２の実施の形態における原稿に形成された画像と地紋を示す図である。
【図９】第２の実施の形態における複写機の制御装置のＣＰＵが行う第２の複写処理ルーチンのフローチャートを示す図である。
【図１０】第２の実施の形態におけるユーザに報知される警告内容の１例を示す図である。
【図１１】第３の実施の形態を示す概略図である。
【図１２】第３の実施の形態における複写機の制御装置のＣＰＵが行う第３の複写処理ルーチンのフローチャートを示す図である。
【図１３】第３の実施の形態におけるログ監視サーバの制御装置のＣＰＵが行う第２の記憶処理ルーチンのフローチャートを示す図である。
【図１４】第３の実施の形態における管理者用端末の表示部に表示される内容の１例を示す図である。
【図１５】第３の実施の形態における他の例の複写機の制御装置のＣＰＵが行う第３の複写処理ルーチンのフローチャートを示す図である。
【符号の説明】
【００９７】
１０      画像処理システム
１２      複写機
１４      ログ監視サーバ
１８      Ｕ／Ｉ
２０      ユーザ情報取得装置
２２      スキャナ
２８      制御装置
２８ｃ    ＣＰＵ
３２      制御装置
３２ｃ    ＣＰＵ
【図１】
0004992609.tif 000002
【図２】
0004992609.tif 000003
【図３】
0004992609.tif 000004
【図４】
0004992609.tif 000005
【図５】
0004992609.tif 000006
【図６】
0004992609.tif 000007
【図７】
0004992609.tif 000008
【図８】
0004992609.tif 000009
【図９】
0004992609.tif 000010
【図１０】
0004992609.tif 000011
【図１１】
0004992609.tif 000012
【図１２】
0004992609.tif 000013
【図１３】
0004992609.tif 000014
【図１４】
0004992609.tif 000015
【図１５】
0004992609.tif 000016